(57)【特許請求の範囲】
【請求項１】
バスタブ及び便器を収容するユニットバスであって、
内部に空洞を有し、一端が前記ユニットバスの第１の壁に固定され、他端が前記第１の壁に対向する第２の壁に固定された筒状部材を備え、
前記便器に電源を供給する配線は、前記筒状部材に設けられた第１の貫通孔から前記空洞内に挿通され、当該筒状部材の一端及び前記第１の壁に設けられた第２の貫通孔を経て、当該ユニットバス外部の電源供給装置と接続されるユニットバス。
【請求項２】
前記配線は、第１及び第２の配線を含み、
前記第１の配線は、前記便器に接続され、
前記第２の配線は、前記電源供給装置に接続され、
前記第１の配線と前記第２の配線との結線部は、前記空洞内に位置している請求項１に記載のユニットバス。
【請求項３】
前記第１の壁は、前記ユニットバスの天井板であり、
前記第２の壁は、前記ユニットバスの床面板であり、
前記結線部は、前記第１の貫通孔よりも前記天井板側に位置している請求項２に記載のユニットバス。
【請求項４】
前記筒状部材は、前記筒状部材の両端を、前記筒状部材の長手方向外側に向けて付勢する付勢手段を有する請求項１〜３のいずれか一項に記載のユニットバス。
【請求項５】
バスタブ及び便器を収容するユニットバスの改装方法であって、
内部に空洞を有する筒状部材の一端を、前記ユニットバスの第１の壁に固定し、
前記筒状部材の他端を、前記第１の壁に対向する第２の壁に固定し、
前記便器に電源を供給する配線を、前記筒状部材に形成された第１の貫通孔から前記空洞内に挿通し、当該筒状部材の一端及び前記第１の壁に設けられた第２の貫通孔を経て、前記ユニットバス外部の電源供給装置と接続するユニットバスの改装方法。
【発明の詳細な説明】
【技術分野】
【０００１】
本発明はユニットバス及びその改装方法に関する。
【背景技術】
【０００２】
近年、多機能の便器が普及している。このような便器は、例えば、自動で便座が開閉する機能や、便座が温まる機能、ウォシュレット（登録商標）機能等を備えている。
【０００３】
これらの機能を実現するためには、便器への電源供給が不可欠となる。そのため、例えば特許文献１に示すように、多機能便器は、壁にコンセントが設けられたトイレに配置され、コンセントから電源の供給を受ける必要がある。
【先行技術文献】
【特許文献】
【０００４】
【特許文献１】特開２００３−２６８８３６号公報
【発明の概要】
【発明が解決しようとする課題】
【０００５】
しかしながら、トイレとバスタブが同じ空間に配置されたユニットバスにおいては、一般的に、コンセントが配置されていない。これは、ユニットバスにコンセントを配置すると、お風呂の湿気等が原因となり、漏電する恐れがあるからである。このため、ユニットバスにおいて多機能便器を利用することは難しかった。
【０００６】
本発明は、このような問題を解決するためになされたものであり、ユニットバス内に配置された便器に電源供給することができるユニットバス及びその改装方法を提供することを目的としている。
【課題を解決するための手段】
【０００７】
本発明の一態様にかかるユニットバスは、バスタブ及び便器を収容するユニットバスであって、内部に空洞を有し、一端が前記ユニットバスの第１の壁に固定され、他端が前記第１の壁に対向する第２の壁に固定された筒状部材を備え、前記便器に電源を供給する配線は、前記筒状部材に設けられた第１の貫通孔から前記空洞内に挿通され、当該筒状部材の一端及び前記第１の壁に設けられた第２の貫通孔を経て、当該ユニットバス外部の電源供給装置と接続されるものである。
【０００８】
本発明の一態様にかかるユニットバスの改装方法は、バスタブ及び便器を収容するユニットバスの改装方法であって、内部に空洞を有する筒状部材の一端を、前記ユニットバスの第１の壁に固定し、前記筒状部材の他端を、前記第１の壁に対向する第２の壁に固定し、前記便器に電源を供給する配線を、前記筒状部材に形成された第１の貫通孔から前記空洞内に挿通し、当該筒状部材の一端及び前記第１の壁に設けられた第２の貫通孔を経て、前記ユニットバス外部の電源供給装置と接続するものである。
【発明の効果】
【０００９】
本発明により、ユニットバス内に配置された便器に電源供給することができるユニットバス及びその改装方法を提供することができる。
【図面の簡単な説明】
【００１０】
【図１】実施の形態にかかるユニットバスの外観斜視図である。
【図２】実施の形態にかかるユニットバスの透視図である。
【図３】実施の形態にかかる筒状部材の詳細を説明するための図である。
【発明を実施するための形態】
【００１１】
以下、図面を参照して本発明の実施の形態について説明する。図１は、本実施の形態にかかるユニットバス１の外観斜視図である。図２は、ユニットバス１の壁を透明に示した透視図である。
【００１２】
図１及び図２に示すように、ユニットバス１は、天井板１１と、側壁１２〜１５と、床面板１６と、を備える。天井板１１と床面板１６とは対向している。側壁１２と側壁１５とは対向している。側壁１３と側壁１４とは対向している。ユニットバス１は、中空の直方体形状をしている。側壁１２には、ユニットバス１に出入りするためのドア１２１が設けられている。また、天井板１１には、貫通孔１１１が設けられている。貫通孔１１１（第２の貫通孔）は、天井板１１の内面から外面まで貫通する孔である。
【００１３】
ユニットバス１外部には、電源供給装置２１が設けられている。具体的には、電源供給装置２１は、ユニットバス１の天井板１１の外側（天井裏）に配置されている。電源供給装置２１は、電源配線２２、２３と接続されている。電源供給装置２１は、電源配線２２、２３に接続された機器に対して電源を供給する。
【００１４】
天井板１１の隅には、照明器具３１が設けられている。照明器具３１は、ユニットバス１の内側の空間を照らす。照明器具３１は、電源配線２２を介して電源供給装置２１に接続され、電源供給装置２１から電源の供給を受ける。
【００１５】
ユニットバス１は、内部の空間に、便器４０と、バスタブ５０と、を収容する。バスタブ５０は、側壁１４に接するように配置されている。また、便器４０は、バスタブ５０よりも側壁１３側に配置されている。さらに、便器４０と側壁１３との間には、筒状部材６０が配置されている。筒状部材６０は、側壁１３及び側壁１５とは接していない。なお、ユニットバス１内の機器及び器具の配置については、図２に示すものに限られない。例えば、便器４０とバスタブ５０に加えて、洗面台等が設けられていてもよい。
【００１６】
便器４０は、タンク４１と、便座４２と、操作部４３と、便器配線４４と、を備える。タンク４１は、便器４０の水洗時に水を便器４０に供給する。便座４２は、便器４０の使用者が座る部分である。本実施の形態にかかる便座４２は、いわゆる暖房便座であり、便座４２が温まる。また、便座４２は、いわゆる洗浄便座であり、使用者の局部を洗浄するための冷水または温水を噴出する。
【００１７】
操作部４３は、便座４２の温度を設定するためのボタンや、洗浄動作を指示するためのボタン等を有する。便器配線４４（第１の配線）は、例えば、操作部４３に接続されており、便座４２の暖房機能や洗浄機能に必要な電源の供給を受ける配線である。
【００１８】
筒状部材６０は、内部に空洞を有する円筒形の部材である。筒状部材６０は、一端が天井板１１（第１の壁）に固定され、他端が床面板１６（第２の壁）に固定されている。つまり、筒状部材６０は、天井板１１から床面板１６まで延在している。筒状部材６０の一端と天井板１１とは隙間なく固定されている。このため、筒状部材６０の一端の開口部から空洞内に水が浸入することを防止することができる。筒状部材６０は、側面に貫通孔６１を有する。貫通孔６１（第１の貫通孔）は、筒状部材６０の外面から内面（空洞内）まで貫通する孔である。
【００１９】
続いて、図３を参照して、筒状部材６０の構成及び配線構造について詳細に説明する。図３は、筒状部材６０の長手方向の断面図である。筒状部材６０は、内部に空洞部６３を有する。筒状部材６０の天井板１１側の端部は、開口している。一方、筒状部材６０の床面板１６側の端部は、底面部６４を有し、開口していない。つまり、空洞部６３と床面板１６との間には底面部６４が存在し、空洞部６３と床面板１６とは、接していない。これにより、床面板１６に流れる水分を遮断し、空洞部６３内に水分が浸入することを防止することができる。
【００２０】
側面部６２には、ユニットバス１内の空間と空洞部６３とを繋ぐ貫通孔６１が形成されている。貫通孔６１には、便器４０の便器配線４４が挿通されている。さらに、貫通孔６１の外側の開口部には、防水用パテ７０が設けられている。防水用パテ７０は、貫通孔６１に便器配線４４が挿通された状態で、貫通孔６１を外側から塞いでいる。これにより、貫通孔６１を通して空洞部６３内に水分が浸入することを防止することができる。なお、貫通孔６１の形成位置は、筒状部材６０の側面に限られない。筒状部材６０の底面と床面板１６との間に隙間が存在する場合には、筒状部材６０の底面に貫通孔６１が設けられていてもよい。
【００２１】
天井板１１に開いた貫通孔１１１と、筒状部材６０の空洞部６３と、は連通している。このため、空洞部６３は、貫通孔１１１を介して、天井板１１の外側（天井裏。つまりユニットバス１の外部）と繋がっている。
【００２２】
電源を供給する電源配線２３（第２の配線）は、天井板１１の外側から貫通孔１１１を通って、筒状部材６０の空洞部６３内へ延びている。そして、電源配線２３は、空洞部６３内において、便器配線４４と結線されている。
【００２３】
電源配線２３と便器配線４４との結線部８０は、貫通孔６１よりも天井板１１側に位置している。これにより、防水用パテ７０の劣化や破損により、空洞部６３内部に水分が浸入してしまった場合であっても、侵入した水分が結線部８０にかかることを防止することができる。
【００２４】
以上のように、本実施の形態にかかるユニットバスの構成によれば、便器配線４４が、筒状部材６０内部の空洞部６３に挿通され、電源配線２３と結線されている。言い換えると、便器４０に電源を供給する配線は、貫通孔６１から空洞部６３内に挿通され、筒状部材６０の一端及び天井板１１に設けられた貫通孔１１１を経て、電源供給装置２１に接続される。このため、便器配線４４を介して、便器４０に電源が供給される。したがって、便器４０は、電源の供給を必要とする機能を実行できる。
【００２５】
また、便器配線４４は、ユニットバス１内の空間を経由して便器４０から貫通孔６１へ延びているが、結線部８０以外の便器配線４４は、通常、防水用に樹脂コーティングがされているため、水分に触れたとしても、漏電に繋がる恐れはない。これに対して、結線部８０は、配線がむき出し状態になっていることが多く、水分に触れると漏電する恐れがある。しかしながら、本実施の形態にかかるユニットバスにおいては、結線部８０は、筒状部材６０の側面部６２を介して、ユニットバス１の空間から遮断されている。したがって、結線部８０が、お風呂でのシャワーの水や、湯船からの蒸気、ユニットバスの床面板１６を流れる水等に接触することを回避できる。その結果、漏電を防ぐことができる。
【００２６】
続いて、本実施の形態にかかるユニットバスの改装方法について説明する。はじめに、ユニットバス１の天井板１１に貫通孔１１１を形成する。このとき、貫通孔１１１の直径は、例えば１ｃｍ程度である。もちろん、電源配線２３を貫通孔１１１に挿通することができればよいため、電源配線２３の径よりも大きい径の貫通孔１１１であれば、その直径は特に限定されるものではない。
【００２７】
次に、筒状部材６０の側面部６２に貫通孔６１を形成する。貫通孔６１の形成位置は、例えば、床面板１６から３０ｃｍ程度上方（天井側）の位置である。もちろん、貫通孔６１の形成位置も特に限定されるものではないが、便器配線４４の根元の位置や長さに応じて、適宜決定する。
【００２８】
また、貫通孔６１の直径は、例えば２ｃｍ程度である。貫通孔６１の直径は、天井板１１に形成された貫通孔１１１よりも大きい径であることが好ましい。これは、後述するように、結線部８０を貫通孔６１に通す必要があるためである。
【００２９】
次に、筒状部材６０を天井板１１及び床面板１６に固定する。具体的には、筒状部材６０の端部の開口部の中心に貫通孔１１１が収まるように、筒状部材６０を天井板１１及び床面板１６に対して略垂直になるように固定する。
【００３０】
このとき、筒状部材６０は、両端を長手方向（図３の上下方向）外側に向けて付勢する付勢手段を有する。例えば、筒状部材６０は、いわゆる突っ張り棒である。２つの筒がねじ構造により連結されており、長手方向を軸としていずれか一方の筒を回転させることにより、筒状部材６０の長さを変更することができる。このような構造により、筒状部材６０の上端を天井板１１に押し付け（付勢し）、筒状部材６０の下端を床面板１６に押し付ける。これにより、筒状部材６０が天井板１１及び床面板１６に挟まれるように固定される。付勢手段としては、バネを用いてもよい。例えば、筒状部材６０の端部近傍にバネ部材を設けることにより、筒状部材６０は、長手方向外側に向けて端部を付勢することができる。
【００３１】
なお、筒状部材６０の両端を天井板１１及び床面板１６にネジや接着剤等を用いて固定してもよい。ただし、付勢手段を用いて、筒状部材６０を固定する方が、固定作業が簡易となるだけでなく、天井板１１や床面板１６にネジ穴等を開ける必要もないため、ユニットバス１の改修部分を最小限に抑えることができる。
【００３２】
次に、電源配線２３を天井裏から貫通孔１１１を通して、ユニットバス１の内部に引き出す。さらに、貫通孔１１１から引き出された電源配線２３を筒状部材６０の端部の開口部から、筒状部材６０の内部（空洞部６３）に挿通する。そして、空洞部６３を通る電源配線２３を、貫通孔６１を通して、筒状部材６０の外側（ユニットバス１内の空間）へ引き出す。
【００３３】
次に、貫通孔６１から外側に引き出された電源配線２３と便器配線４４とを結線する。つまり、この結線作業は、筒状部材６０の外部で行われる。このため、空洞部６３よりも広い空間において結線作業を行うことができるため、作業効率が向上する。
【００３４】
次に、結線部８０を空洞部６３内部に引き込む。このとき、結線部８０が貫通孔６１よりも床面板１６側に垂れないように、天井裏から電源配線２３を引っ張る。そして、結線部８０が貫通孔６１よりも高い位置にきたところで、電源配線２３を天井裏に固定する等して、結線部８０の位置を保持する。
【００３５】
最後に、便器配線４４が挿通する貫通孔６１の表面側に防水用パテ７０を塗布し、貫通孔６１から空洞部６３内部へ水分が入り込まないように、防水処理を施す。
【００３６】
以上のような改修方法により、漏電を防止しつつ、簡易な作業で便器４０に電源を供給することができる。また、ユニットバス１に必要な工事は、天井板１１に形成する貫通孔１１１のみである。このため、ユニットバス１へのダメージも最小限で抑えることができる。
【００３７】
なお、本発明は上記実施の形態に限られたものではなく、趣旨を逸脱しない範囲で適宜変更及び組み合わせをすることが可能である。例えば、筒状部材６０の配置方向は、天井板１１から床面板１６に限られず、側壁１２から側壁１５へ延在するように配置してもよいし、側壁１３から側壁１４へ延在するように配置してもよい。ただし、側壁から側壁へ延在するように配置した場合、電源供給装置２１からの電源配線２３を、天井裏から側壁外側へ回してくる必要があるため、ユニットバス１の側壁とユニットバス１が配置される建物の内壁との間に十分なスペースが必要となってしまう。
【００３８】
また、筒状部材６０を使用せずに、ユニットバス１の側壁に貫通孔を開け、当該貫通孔に便器配線４４を挿通し、側壁の外側において電源配線２３と便器配線４４とを結線する方法も考えられる。しかし、この場合も、ユニットバス１の側壁とユニットバス１が配置される建物の内壁との間に配線を通すスペースが必要となってしまう。ユニットバス１の設置後に、ユニットバス１の側壁と建物の内壁との間のスペースを広げる工事を行うことは、ユニットバス１や建物へのダメージも大きく、作業負担や工事コストも増加してしまう。
【００３９】
これに対して、天井裏から電源配線２３を引き入れる場合には、ユニットバス１の照明器具３１用の配線を配置するスペースを流用できるため、容易に配線を筒状部材６０に引き入れることができる。つまり、図２に示すように、便器４０から電源供給装置２１までの配線（電源配線２３及び便器配線４４）は、ユニットバス１の外面（側壁の外側）を経由することなく、天井板１１の外側から、貫通孔１１１、空洞部６３、及び貫通孔６１を経由して、便器４０に接続される。このため、ユニットバス１の側壁と建物の内壁との間のスペースの有無にかかわらず、便器４０に電源を供給することができる。また、ユニットバス１の換気扇（図示省略）や照明器具３１に供給される電源やこれらの配線を流用することもできる。そのため、別途電源等を用意する必要が無く、改装コストを抑えることができる。
【００４０】
また、筒状部材６０の床面板１６側の底面部６４に水抜き孔を設けてもよい。空洞部６３の湿度が高く、空洞部６３内部に結露が発生した場合に、水抜き孔を設けることにより、結露の水分を床面板１６側に放出することができる。
【符号の説明】
【００４１】
１  ユニットバス
１１  天井板
１２〜１５  側壁
１６  床面板
２１  電源供給装置
２２、２３  電源配線
３１  照明器具
４０  便器
４１  タンク
４２  便座
４３  操作部
４４  便器配線
５０  バスタブ
６０  筒状部材
６１、１１１  貫通孔
６２  側面部
６３  空洞部
６４  底面部
７０  防水用パテ
８０  結線部
１２１  ドア
【要約】
【課題】ユニットバス内に配置された便器に電源供給することができるユニットバス及びその改装方法を提供すること。
【解決手段】本発明にかかるユニットバス１は、バスタブ５０及び便器４０を収容する。  筒状部材６０は、内部に空洞を有し、一端がユニットバス１の天井板１１に固定され、他端が床面板１６に固定されている。便器４０に電源を供給する配線は、筒状部材６０に設けられた貫通孔６１から前記空洞内に挿通され、当該筒状部材６０の一端及び天井板１１に設けられた貫通孔１１１を経て、当該ユニットバス外部の電源供給装置２１と接続される。
【選択図】図２【図１】
0005412001.tif 000002
【図２】
0005412001.tif 000003
【図３】
0005412001.tif 000004